Podtech/llm-jp-corpus-v4-ja_patent huggingface dataset:
(57)【要約】  【課題】  電解還元水に油分を乳化させる機能がある点に着目し、油分を乳化させた乳液を提供する。  【解決手段】  一般に乳化には、本来必要とする成分以外の乳化剤を用いて油を乳化させているので、この乳化した油を肌などに塗布するとき、乳化剤によってアレルギーを起すことがあるが、本発明では、水を電解還元した電解還元水を用いているので、本発明で乳化された油分を塗布しても、アレルギーを引き起こすことがない。  【選択図】なし【特許請求の範囲】
【請求項１】
ＰＨ１０．５〜ＰＨ１４に安定化した電解還元水で油を乳化させたことを特徴とする乳液。
【請求項２】
前記油は、ホホバ油、スクワラン油、あるいは、オリーブ油のいずれかであることを特徴とする請求項１に記載の乳液。
【発明の詳細な説明】
【技術分野】
【０００１】
本発明は、電解還元水で油を乳化させた乳液に関する。
【発明の開示】
【発明が解決しようとする課題】
【０００２】
本発明では、電解還元水に油分を乳化させる機能がある点に着目し、油分を乳化させた乳液を提供することを目的とする。
【課題を解決するための手段】
【０００３】
上述した発明である請求項１に記載の乳液は、ＰＨ１０．５〜ＰＨ１４に安定化した電解還元水で油を乳化させたことを特徴とする。
一般に乳化には、本来必要とする成分以外の乳化剤を用いて油を乳化させているので、この乳化した油を肌などに塗布するとき、乳化剤によってアレルギーを起すことがあるが、本発明では、水を電解還元した電解還元水を用いているので、本発明で乳化された油分を塗布しても、アレルギーを引き起こすことがない。
【０００４】
尚、電解還元水のＰＨ（水素イオン濃度指数）は、１１．５〜１２．５がより好ましく、１２がもっとも好ましい。
また、この電解還元水は、２９〜６０ｄｙｎ／ｃｍのものであることが好ましく、５５〜５８ｄｙｎ／ｃｍがより好ましく、さらに約５６．１ｄｙｎ／ｃｍであることが因り好ましい。
【０００５】
尚、乳化させる油分としては、請求項２に記載したようにホホバ油、スクワラン油、あるいは、オリーブ油をなどがあるが、これに限られるものではない。
【発明を実施するための最良の形態】
【０００６】
以下、本発明が適用された実施形態について図面を用いて説明する。
[  １．電解還元水について  ]
本実施形態で用いる電解還元性水（以下、電解水と略す）は、自然水を電気分解で処理し、通電・加圧させて得られた物理的に電子過剰な水であり、特殊なアルカリ性質とマイナスイオンにより、匂いの元となる汚れや細菌の剥離作用によって除去するため、洗浄効果や消臭効果、除菌効果や防塵効果を示すことが知られている（商品名Ｓ−１００：株式会社エー・アイ・システムプロダクト製造）。また、酸化を防止するため防錆および防腐効果も有している。
【０００７】
電解水は、具体的には、脱酸素処理を行って純水の溶存酸素を１ｐｐｍ以下にする脱酸素工程と、この脱酸素工程により脱酸素処理を行った前記純水を電気分解する電気分解工程と、この電気分解工程により電気分解された前記水のうち、陰極室側の前記水を密閉された安定化槽内で４ｋｇ／ｃｍ2 以上の圧力をかけて安定化させる安定化工程とを経て、前記水を処理することによって製造する。
【０００８】
化学的な性質としては、電解水は、水素イオン濃度指数がＰＨ１０．５〜ＰＨ１４で安定化しており、特に好ましくは、ＰＨ１１．５〜ＰＨ１２．５で安定していること、さらに言えばＰＨ１２で安定しているものがより好ましい。
【０００９】
また、他の化学的な性質としては、この電解水は、表面張力が２９〜６０ｄｙｎ／ｃｍのものであることが好ましく、５５〜５８ｄｙｎ／ｃｍがより好ましく、さらに約５６．１ｄｙｎ／ｃｍであることがより好ましい。
[  ２．乳液の調製  ] 
本実施形態では、電解水中に、ホホバ油、スクワラン油、オリーブ油をそれぞれ攪拌しながら投入した。
【００１０】
具体的には、電解水に対し、ＣＭＣを０．５wt％〜２wt％、ホホバ油、スクワラン油、オリーブ油を１wt％〜５wt％混入し、この混入液を真空ホモジナイザーで、１０分〜３０分攪拌して乳液とした。
【００１１】
尚、本実施形態では、ローション状の乳液を製造したため、ＣＭＣを混入した。ＣＭＣとは、透明で粘度があり、それ自体には薬理作用がないカルボキシメチルセルロースナトリウムである。
[  ３．効果  ]
一般に乳化には、本来必要とする成分以外の乳化剤を用いて油を乳化させているので、この乳化した油を肌などに塗布するとき、乳化剤によってアレルギーを起すことがあるが、本実施形態では、水を電解還元した電解還元水を用いているので、本実施形態で乳化された油分を塗布しても、アレルギーを引き起こすことがない。
(57)【要約】      （修正有）【課題】母乳時間は母親にとって、育児仕事の一番の子供との対話時間である。母乳時にトラブルが有っては、せっかくの安らぎのひと時が、台無しである。乳房が汚れていたり、汗をかいていては、外出先などの急な母乳は大変である。そんな時、本発明の乳児用乳房保護サックがあれば、たとえ乳房が汚れていても、片手で保護サックを乳房に装着するだけで安心して乳児に母乳を与える事が出来るのが、乳房保護サックである。【解決手段】乳房保護サック１は装着しやすいように外側から巻き丸めてあるものを胸元にのばしながら装着する。乳児が母乳を飲む事が出来る様、乳頭部２に当る所に乳路穴３を開けてあり又、乳児が母乳中に手でもって、乳房をさわる為保護サックが外れない様に滑り止め部分４，５の所に細かい凹凸のエボエボを取り付けて滑り止めとする。【選択図】図２
2010077582.tif 000002
【特許請求の範囲】
【請求項１】
乳房保護サック図１（１）の乳頭部（ちくび）（２）に乳路穴（３）を開ける事で乳児がスムーズに乳を飲むことが出来る考案である。乳房保護サックは母親が乳児の乳歯によって乳頭に傷を付けられたり、爪でもって乳房に傷をつけられる事を防ぐと共に汗や垢で汚れた乳房や乳頭（ちくび）を乳児に母乳時あたえたりすると健康の妨げになる事を防ぐ意味をふくめて本発明品乳児用乳房保護サックは極薄ゴムで成形した物で、乳児が母乳時に保護具として装着具である。
【請求項２】
図１〜図４の（１）の乳房保護サック全体（ゴム成形）
【請求項３】
図１〜図４の（２）の乳頭部分に乳路穴を開ける（３）
【請求項４】
図１〜図４の（４）と（５）の二箇所に凹凸状の細いエボエボを取り付けて滑り止めとする。
【請求項５】
図４の（１）〜（５）の乳房保護サックを使用する時装着しやすい様に図４の様に製造過程で外側から丸めて真空パックで販売する。
【発明の詳細な説明】
【技術分野】
【０００１】発明は乳児の母乳時に、母親の乳房全体にかぶせるように装着する乳房保護サックであり、母親の体の汗や細菌から守る為と、乳歯でもって、母親の乳頭部を（ちくび）を傷付けられぬように守ったり、乳児の爪で乳房に傷付く事を防ぐ為の乳房保護サックである。
【背景技術】
【０００２】従来は母親の乳房全体を保護するサックはなかった。
【発明の開示】
【発明が解決しようとする課題】
【０００３】日に何度かの母乳時は母子共に安らぎの時間である。そのたびに、乳歯でもって、乳頭（ちくび）を噛まれて乳頭炎症を起している母親は多く、恐怖心から粉ミルクに、たよる母親が多く見うけられる。そんな時本発明、乳房保護サックが有れば装着するだけで、乳歯や爪で傷付けられる心配も無く安心して母乳時間を乳児と語らいの楽しい、ひと時としてもらいたく、乳房保護サックを開発したのである。
【課題を解決するための手段】
【０００４】従来多くの母親は乳房崩れを恐れ、母乳を搾り取り哺乳瓶にうつして乳児にあたえている。母親が現在では多く乳児の気持ちを無視した味気無い、親子関係ではないかと私は思う。乳房崩れを恐れるなら、本発明、乳房保護サックは最良である。母親の汗や垢、病原菌から乳児を守るだけでなく、乳房を締めつける様に持ち上げる効果が有るからである。図１（１）を乳房全体に図２の様に装着する事で乳児は、（２）（３）を口にふくませる事で、（３）の乳路を通して母乳を飲む事が出来るのである。（３）の乳路穴は、乳頭（ちくび）にピタリとフイットする様に（１）の乳房保護サックの（４）と（５）の二箇所に摩れ止めの細かい溝を十字に保護サックの裏面に付ける事で乳児が母乳時、手でまさぐり外れない為に（４）と（５）が、それである。
【発明の効果】
【０００５】真夏日に外出、母子共に汗をかく、だが乳児が母乳をほしがる時、人前で自分の乳房を消毒も出来ず、そのまま乳頭（ちくび）を乳児の口にふくませる母親が多い。これは乳児にとって大変危険である。夏日は発汗作用がはけしく、いわば、母親の体内の毒素が汗と一緒に出てくるのであって、消毒もしない乳頭を乳児の口にふくませる事は、母親の毒素を乳児に、あたえるようなものである。又、乳児に乳歯が生えて来ると、母乳時、乳頭（ちくび）を強く、かむ事が有り、乳頭炎症で悩み続ける。母親を何度も見て来た。さらに乳児は爪の生えるのが早く、うっかり爪切を怠ると、母乳時爪でもって乳房に傷を付けられ痛い思いをした母親は居るはずである。そんな問題点を視野に入れて、本発明乳児用乳房保護サックを発案したのである。以下は、本発明の形態について説明する。
【発明を実施するための最良の形態】
【０００６】以下、本発明を実施するための最良の形態について説明する。乳房保護サック図１、（１）図４、（１）を母親の乳房に装着する。その時、保護サックが、きちっと乳房に密着するように図２の様（４）と（５）の摩れ止めサック部分を指でおさえて密着させることで乳児が乳頭（ちくび）を口にふくむ（２）（３）と（３）の乳路穴が開けてあるので、すむずに母乳がおこなう事が出来る。図４は乳児用乳房保護サック本体を外側から巻き丸めた図である。母親が使用する時、簡単に図２（１）〜（８）の様に装着出来る考案である。製造過程で、丸めて真空パックして販売する事で、安全で衛生的な乳房保護サックとして、乳児を持つお母さん達の生活の友として使用してもらいたく、全体を極薄ゴムで成形する事で、乳児が、乳頭を口にふくんでも、素肌のお母さんと変らない温もりが乳児に伝わるような素材を使用する事が一番大切と思う
【図面の簡単な説明】
【０００７】
【図１】本発明の乳児用乳房保護サックの正面図
【図２】本発明の乳児用乳房保護サックの着装中の図
【図３】本発明の乳房保護サック本体図
【図４】本発明の乳房保護サックを外側から丸めた図
【符号の説明】
【０００８】１．乳児用乳房保護サック本体を正面から見た図２．乳頭（ちくび）サック３．乳頭（ちくび）サック母乳路穴４．乳雲内側滑り止め部分５．乳房外側滑り止め部分６．母親の乳房本体（胸）部分７．母親の乳頭（ちくび）部分８．乳雲部分９．母親の乳房本体
【図１】
2010077582.tif 000003
【図２】
2010077582.tif 000004
【図３】
2010077582.tif 000005
【図４】
2010077582.tif 000006
(57)【要約】【課題】  ズボンやスカートのウエスト部分でブラウスのもたつきやズレ上がってしまう事を解消するための、ブラウスストレッチガーターを提供する。【解決手段】  伸縮性のあるバンド材の先端４箇所にそれぞれクリップ式留め具を設け、中央のクロッチ内部に設置し、股間からブラウスの前身頃と後身頃の裾部分をクリップ式留め具で挟み留め、ブラウスを常に下から引っ張る事でズボンやスカートのウエスト部分でのブラウスのもたつきやズレ上りを防ぐ事を特徴とするブラウスストレッチガーター。【選択図】図１
2010077581.tif 000002
【特許請求の範囲】
【請求項１】
伸縮性のあるバンド材の先端４箇所にそれぞれクリップ式留め具を設け、中央の筒状になったクロッチ内部に設置し、股間からブラウスの前身頃と後身頃の裾部分をクリップ式留め具で挟み留め、ブラウスを常に下から引っ張る事でズボンやスカートのウエスト部分でのブラウスのもたつきやズレ上りを防ぐ事を特徴とするブラウスストレッチガーター。
【発明の詳細な説明】
【技術分野】
【０００１】  本発明は、ウエスト部分でブラウスやシャツがもたついたりずれ上がったりする不快感を解消し、周囲から見ても見苦しくなく好印象を与える事のできるブラウスストレッチガーターに関するものである。
【背景技術】
【０００２】  従来、ブラウスは時間が経つとウエスト部分でもたつき、ずれ上がってはみ出てしまい、はみ出たブラウスを手でむりやり押し込んでいた。
押し込む事により、余計にもたついて不快だった。
なお、股間部分でスナップ留めをし、ブラウスとクロッチ部分が一体化したボディブラウスタイプのものが知られている。
【発明の開示】
【発明が解決しようとする課題】
【０００３】    そのために、次のような問題点があった。
（イ）所構わずブラウスを押し込む姿が周囲から見るととても見苦しい光景だった。
（ロ）もたついたブラウスを引っ張り直すために度々化粧室に行っていた。
（ハ）股間部分でスナップ留めをするブラウスと一体化になったボディブラウスが知られているが手頃な値段ではなく、種類やデザインが豊富にないので買うのに抵抗があった。
本発明は、これらの問題点を解決するためになされたものである。
【課題を解決するための手段】
【０００４】  伸縮性のあるバンド材の先端４箇所にそれぞれクリップ式留め具を設け、中央の筒状になったクロッチ内部に設置する。股間からブラウスの前身頃と後身頃の裾部分をクリップ式留め具で挟み留め、ブラウスを常に下から引っ張る事でズボンやスカートのウエスト部分でのブラウスのもたつきやズレ上りを防ぐようにした。以上の構成よりなるブラウスストレッチガーター。
【発明の効果】
【０００５】  本発明は、その日の好みのブラウスに簡単に装着できる。外観からは全く見えず、アウターにもひびきにくい。アジャスターを施してあるので体型に合わせて調整ができる。
また、不要な時や急な時は簡単に取り外せ、丸めれば手のひらに収まる。
【発明を実施するための最良の形態】
【０００６】  以下、本発明の実施の形態を説明する。
（イ）伸縮性のあるバンド材２本を臀部側Ｖ型になるように縫い繋ぎ（１）、上部先端２箇所にクリップ式留め具（２）を設け、下部先端は輪（３）になるよう縫いとめる。
（ロ）伸縮性のあるバンド材３本を腹部側Ｙ型になるように縫い繋ぎ（４）、それぞれにアジャスター（５）を施し、上部先端２箇所にクリップ式留め具（２）を設け、下部先端はフック（６）を施し、臀部側Ｖ型（１）の先端の輪（３）にかけて繋ぐ。
（ハ）２枚の布を筒状クロッチになるよう縫い合わせ（７）、開口部にそれぞれ２箇所ずつスナップ材（８）を施す。
（ニ）スナップ材（８）を開け、繋げたバンド材を筒状クロッチ（７）内部に通してスナップ材（８）を留める。
本発明は、以上の構成よりなるので本発明を使用するときは、上記の輪（３）にフック（６）をかけ、必要に応じてアジャスター（５）で長さを変え、筒状クロッチ（７）内部に通し開口部はスナップ材（８）で留める。
ブラウス着用前に後身頃の裾２箇所をクリップ式留め具（２）で留め、ブラウス着用後に筒状クロッチ（７）が股間部分にあたるよう整え、ブラウスの前身頃の裾２箇所をクリップ式留め具（２）で留める。
フィットするボトムスでアウターにひびくのが心配な時は、臀部側Ｖ型（１）のバンド材１本を筒状クロッチ（７）の内部に隠し、残りの１本でブラウス後身頃の裾中心をクリップ式留め具（２）で留める。
体型やブラウスの長さはさまざまであり、腹部側Ｙ型（４）のバンド材にそれぞれに設けたアジャスター（５）で長さの調節ができ、クロッチ部分が２枚合わせで筒状であるのでゴムベルトが股間で露出することなく、股間にくい込んだりする不快感もない。
その日のボトムスのスタイルに合わせて臀部側バンド材は２本型や１本型に変えられ、アウターにひびく心配がない。また、臀部側Ｖ型（１）側のバンド材はフック（６）により裏返しにできるので、クリップ式留め具（２）も裏返しになることで不器用な人にも装着しやすい。
【図面の簡単な説明】
【０００７】
【図１】本発明の斜視図である。
【図２】本発明の分解斜視図である。
【図３】本発明の使用状態を示す図である。
【符号の説明】
【０００８】１  臀部側Ｖ型バンド材
２  クリップ式留め具
３  輪
４  腹部側Ｙ型バンド材
５  アジャスター
６  フック
７  筒状クロッチ
８  スナップ材
【図１】
2010077581.tif 000003
【図２】
2010077581.tif 000004
【図３】
2010077581.tif 000005
(57)【要約】【課題】既存の塗料またはインクを利用した撥水性のある汚れ防止作用を有した耐汚染性塗料を提供すること。また、特殊な製造行程を有することなく、極めて安価に製造できる塗料を提供すること。さらに、安価に製造できるものでありながら、落書き防止塗料として販売されている高価な塗料と同等の耐汚染性を有する塗料を提供すること。【解決手段】有機溶剤によって希釈可能な塗料若しくはインクに対して、シリコンオイルを混合したことを特徴とする。また、塗料若しくはインクの原液とシリコンオイルの混合比が大凡９．７：０．３の割合で混合したことを特徴とする。【選択図】なし【特許請求の範囲】
【請求項１】
有機溶剤によって希釈可能な塗料若しくはインクに対して、シリコンオイルを混合したことを特徴とする耐汚染性塗料。
【請求項２】
前記塗料若しくはインクの原液とシリコンオイルの混合比が大凡９．７：０．３であることを特徴とする請求項１記載の耐汚染性塗料。
【請求項３】
有機溶剤によって希釈可能な塗料若しくはインクに対して、シリコンオイルを混合したことを特徴とする耐汚染性塗料の製造方法。
【請求項４】
前記塗料若しくはインクの原液とシリコンオイルの混合比が大凡９．７：０．３であることを特徴とする請求項３記載の耐汚染性塗料の製造方法。
【発明の詳細な説明】
【技術分野】
【０００１】
本発明は、形成した塗膜に対する汚れ等を軽減することができる耐汚染性塗料に関するものである。
【背景技術】
【０００２】
現在、いたるところで落書きが行われている。落書きには、スプレー缶を使用したウレタン塗料が用いられる場合が多く、描かれた落書きはなかなか消えず、消す作業に大変な労力を要するものとなっている。
特許文献１には、貼り紙・落書き防止用の粉末状塗料添加剤が記載されている。当該特許文献１記載の技術も、落書き等を防止することを目的としたものであるが、その成分や構成が複雑であることから購入価格は高額になるものと推測される。
【特許文献１】特許３７８６１１９号公報
【発明の開示】
【発明が解決しようとする課題】
【０００３】
上記のように、落書き防止等を目的とした塗料は多数存在するが、一般家庭で使用することを前提とすると何れも高価なものであると推測される。
本発明は当該事情に鑑み発明されたものであって、既存の塗料またはインクを利用した撥水性のある汚れ防止作用を有した耐汚染性塗料を提供することを課題とする。
【課題を解決するための手段】
【０００４】
上記課題を解決するために、本願請求項１記載の発明は以下の構成を有する。すなわち、
有機溶剤によって希釈可能な塗料若しくはインクに対して、シリコンオイルを混合したことを特徴とする耐汚染性塗料。
【０００５】
また、本願請求項２記載の発明は以下の構成を有する。すなわち、
前記塗料若しくはインクの原液とシリコンオイルの混合比が大凡９．７：０．３であることを特徴とする請求項１記載の耐汚染性塗料。
【０００６】
また、本願請求項３記載の発明は以下の構成を有する。すなわち、
有機溶剤によって希釈可能な塗料若しくはインクに対して、シリコンオイルを混合したことを特徴とする耐汚染性塗料の製造方法。
【０００７】
また、本願請求項４記載の発明は以下の構成を有する。すなわち、
前記塗料若しくはインクの原液とシリコンオイルの混合比が大凡９．７：０．３であることを特徴とする請求項３記載の耐汚染性塗料の製造方法。
【発明の効果】
【０００８】
本願発明に係る耐汚染性塗料は、既存の塗料またはインクに微量のシリコンオイルを添加した簡単な構成を有するものであり、特殊な製造行程を有することなく、極めて安価に製造できるものである。また、このように安価に製造できるものでありながら、落書き防止塗料として販売されている高価な塗料と同等の耐汚染性を有するという効果を有している。
【発明を実施するための最良の形態】
【０００９】
以下、本発明を実施するための最良の形態について説明する。なお、本明細書において塗料とは、所謂顔料を主成分とする塗装用途に用いるものと、所謂染料を主成分とする印字、印画用途に用いるものの双方を含むものとする。本発明に係る耐汚染性塗料は、顔料または染料を分散させる溶剤として有機溶剤を用いたものを原料の一つとして使用するものである。
一例として所謂油性のペンキ塗料として市販されている塗料を原料とする場合について説明する。当該塗料を有機溶剤によって希釈しない原液の状態を基準として、塗料の体積９．７に対してシリコンオイルを０．３の割合で混合する。シリコンオイルには、一例として信越化学工業株式会社で製造されている各種のシリコンオイルを用いることができる。
【００１０】
前述の割合で塗料とシリコンオイルを混合すると、乾燥後は他のインクや塗料などを受け付けない塗膜を形成することができる。シリコンオイルには、所謂ストレート型のシリコンオイルの他、変性シリコンオイルを用いても良い。
上記塗料によって形成した塗膜は、水性のインクや塗料はもちろん、油性の溶剤を用いたインクや塗料をはじく作用を有している。このように、本実施の形態において説明したシリコンオイルを混合した塗料（インクを含む）は、乾燥後において安定した強固な皮膜を形成し、落書きや汚れの付着などを防ぐことができる耐汚染性塗料として機能するようになっている。
【００１１】
上記の例は顔料を主成分として含むペンキ状の塗料について説明したが、染料を主要成分とするインクに適用して、これをインクジェットプリンタ用のインクとして用いることもできる。例えば、当該シリコンオイルを混合したインクによって絵等を印刷すると、当該絵は前述した顔料を主成分とする塗料と同様に、乾燥後は強固な皮膜を形成し、汚れの付着などを防ぐことができるようになっている。
【産業上の利用可能性】
【００１２】
本発発明は、落書きの付着や汚れの付着を防止をすることができる塗料に利用可能である。
(57)【要約】【目的】セルロースを含む部材から二酸化炭素の総排出量ゼロでメタンガスを得る。【構成】セルロースを含む部材から栄養素を含む水溶液中の大腸菌によりメタンガスを得る。【選択図】図１
2010077371.tif 000002
【特許請求の範囲】
【請求項１】
栄養素を含む水溶液（２）と、
前記栄養素を含む水溶液（２）の中で培養された大腸菌群（３）と、前記大腸菌群（３）により分解されメタンガスを発生するセルロースを含む部材（４）とを有することを特徴とするセルロース由来のメタンガス発生装置
【請求項２】
前記［請求項１］記載のセルロースを含む部材（４）が廃材である前記［請求項１］記載のセルロース由来のメタンガス発生装置
【請求項３】
前記［請求項１］記載のセルロースを含む部材（４）が汚物である前記［請求項１］記載のセルロース由来のメタンガス発生装置
【請求項４】
前記［請求項１］記載のセルロースを含む部材（４）が生ごみである前記［請求項１］記載のセルロース由来のメタンガス発生装置
【発明の詳細な説明】
【発明の詳細な説明】
【産業上の利用分野】
【０００１】本発明は二酸化炭素の排出を抑制するためのセルロース由来のメタンガス発生装置に関する。
【背景技術】
【０００２】従来のセルロース由来の低炭素燃料の製造装置は当該セルロースを分解し主にアルコールを製造する方法で行っていた。
【発明が解決しようとする課題】
【０００３】本発明は比較的培養しやすい大腸菌群を利用することにより、メタンガスを発生させ二酸化炭素の排出を抑制するセルロース由来のメタンガス発生装置を提供する。
【課題を解決するための手段】
【０００４】大腸菌の栄養素である植物由来の澱粉などを含む水溶液にセルロース系の食料と競合しない廃材などを利用しメタンガスを発生させ燃料として利用することにより地球温暖化の原因となる二酸化炭素の総排出量を抑制する。
【作用】
【０００５】大腸菌群により腸内におけるメタンガス発生機構を利用する。
【実施例】
【０００６】本発明の好ましい実施例を述べる。
水溶液中の大腸菌群（３）の栄養源として植物由来の澱粉を利用したものを、またセルロースを含む部材（４）として廃材を利用したものについて以下に述べる。
水溶液（２）中の澱粉を栄養源として水溶液中の大腸菌群（３）は急速に繁殖していく。
そして、この大腸菌群（３）は廃材を分解しメタンガス（７）を発生する。
装置全体の容器（５）の中空部分にメタンガス（７）が充満し、発生したメタンガスの出口付近の流れ（１）の矢印の方向にこのメタンガスは流れ、メタンガス収集容器（６）内に収集される。
収集されたメタンガス（７）を取り外し、燃料として利用する。
【発明の効果】
【０００７】セルロースを含む部材を比較的培養の容易な大腸菌群により分解することにより燃料となるメタンガスを二酸化炭素のゼロ・エミッションで得る事ができる。
【図面の簡単な説明】
【図１】（１）は発生したメタンガスの出口付近の流れである。（２）は栄養素を含む水溶液である。（３）は大腸菌群である。（４）はセルロースを含む部材としての廃材である。（５）は装置全体の容器である。（６）はメタンガス収集容器である。（７）はメタンガスである。
【図１】
2010077371.tif 000003